(57)【特許請求の範囲】
【請求項１】
第１の基板と、前記第１の基板に対向する第２の基板と、前記第１の基板と前記第２の基板との間に配置された液晶層とを有し、複数の画素領域を含む液晶表示装置であって、
前記画素領域は、
前記第１の基板の前記液晶層側の面に形成され、所定の電位が供給される、第１の電極及び第２の電極と、
第１のコンタクトホールと第２のコンタクトホールを備え、前記第１の基板の前記液晶層側に前記第１の電極と前記第２の電極を覆って形成された絶縁膜と、
前記絶縁膜の上層に形成され、開口部を介して前記第１のコンタクトホールを露出させる第１の反射電極と、
前記絶縁膜の上層に形成され、開口部を介して前記第２のコンタクトホールを露出させる第２の反射電極と、
前記第１のコンタクトホール内の底面および内側面に形成され、前記第１の電極と前記第１の反射電極とを電気的に接続する第１の透明電極と、
前記第２のコンタクトホール内の底面および内側面に形成され、前記第２の電極と前記第２の反射電極とを電気的に接続する第２の透明電極と、
前記第１の基板または前記第２の基板の前記液晶層側に形成された共通電極と、を有し、
前記絶縁膜は、
前記液晶層側に配置され、前記第１のコンタクトホールと前記第２のコンタクトホールとを備える上層絶縁膜部と、
前記上層絶縁膜部よりも前記第１の基板側に配置され、前記第１の電極を露出する第１の下層コンタクトホールと、前記第２の電極を露出する第２の下層コンタクトホールとを備える下層絶縁膜部と、から構成され、
前記下層絶縁膜部の上層には、
前記第１の下層コンタクトホールを介して前記第１の電極と電気的に接続されるとともに前記第１のコンタクトホールによって前記上層絶縁膜部から一部が露出した第１の透明配線と、
前記第２の下層コンタクトホールを介して前記第２の電極と電気的に接続されるとともに前記第２のコンタクトホールによって前記上層絶縁膜部から一部が露出した第２の透明配線と、が形成され、
前記第１の透明電極は、前記第１のコンタクトホールで露出した前記第１の透明配線の一部と、前記第１の反射電極とを電気的に接続し、
前記第２の透明電極は、前記第２のコンタクトホールで露出した前記第２の透明配線の一部と、前記第２の反射電極とを電気的に接続する、
液晶表示装置。
【請求項２】
前記第１の透明電極は、前記絶縁膜の上層にも形成され、
前記第１の反射電極は、前記第１の透明電極を覆って前記絶縁膜の上層に形成され、
前記第２の透明電極は、前記絶縁膜の上層にも形成され、
前記第２の反射電極は、前記第２の透明電極を覆って前記絶縁膜の上層に形成されている、
請求項１記載の液晶表示装置。
【請求項３】
前記第１の透明電極は、前記第１の反射電極を覆って前記絶縁膜の上層にも形成され、
前記第２の透明電極は、前記第２の反射電極を覆って前記絶縁膜の上層にも形成されている、
請求項１記載の液晶表示装置。
【請求項４】
前記第１のコンタクトホール及び前記第２のコンタクトホールは、前記第１の電極及び前記第２の電極と重畳しない領域に形成される、
請求項１記載の液晶表示装置。
【請求項５】
第１の基板と、前記第１の基板に対向する第２の基板と、前記第１の基板と前記第２の基板との間に配置された液晶層とを有し、複数の画素領域を含む液晶表示装置を備え、
前記画素領域が、
前記第１の基板の前記液晶層側の面に形成され、所定の電位が供給される、第１の電極及び第２の電極と、
第１のコンタクトホールと第２のコンタクトホールを備え、前記第１の基板の前記液晶層側に前記第１の電極と前記第２の電極を覆って形成された絶縁膜と、
前記絶縁膜の上層に形成され、開口部を介して前記第１のコンタクトホールを露出させる第１の反射電極と、
前記絶縁膜の上層に形成され、開口部を介して前記第２のコンタクトホールを露出させる第２の反射電極と、
前記第１のコンタクトホール内の底面および内側面に形成され、前記第１の電極と前記第１の反射電極とを電気的に接続する第１の透明電極と、
前記第２のコンタクトホール内の底面および内側面に形成され、前記第２の電極と前記第２の反射電極とを電気的に接続する第２の透明電極と、
前記第１の基板または前記第２の基板の前記液晶層側に形成された共通電極と、を有し、
前記絶縁膜は、
前記液晶層側に配置され、前記第１のコンタクトホールと前記第２のコンタクトホールとを備える上層絶縁膜部と、
前記上層絶縁膜部よりも前記第１の基板側に配置され、前記第１の電極を露出する第１の下層コンタクトホールと、前記第２の電極を露出する第２の下層コンタクトホールとを備える下層絶縁膜部と、から構成され、
前記下層絶縁膜部の上層には、
前記第１の下層コンタクトホールを介して前記第１の電極と電気的に接続されるとともに前記第１のコンタクトホールによって前記上層絶縁膜部から一部が露出した第１の透明配線と、
前記第２の下層コンタクトホールを介して前記第２の電極と電気的に接続されるとともに前記第２のコンタクトホールによって前記上層絶縁膜部から一部が露出した第２の透明配線と、が形成され、
前記第１の透明電極は、前記第１のコンタクトホールで露出した前記第１の透明配線の一部と、前記第１の反射電極とを電気的に接続し、
前記第２の透明電極は、前記第２のコンタクトホールで露出した前記第２の透明配線の一部と、前記第２の反射電極とを電気的に接続する、
電子機器。
【発明の詳細な説明】
【技術分野】
【０００１】
本技術は、画像を表示する液晶表示装置、および、電子機器に関する。
【背景技術】
【０００２】
例えば、複数の画素領域を備え、各画素領域に反射電極が形成されたアレイ基板と、アレイ基板と対向して配置された対向基板と、アレイ基板と対向基板との間に形成された液晶層とを有する反射表示型の液晶表示装置がある。
【０００３】
反射表示型の液晶表示装置では、対向基板の外側から入射した光が反射電極によって反射し、反射した光が液晶層を通過して対向基板の外側に出射することで、画像の表示が行われる。このような反射表示型の液晶表示装置では、表示に外光を利用しているため、暗所では視認性が低下する。
【０００４】
これに対して、暗所での視認性を向上させるため、アレイ基板の外側に光源を配置し、かつ、反射電極に開口を設ける技術がある。この技術によれば、光源から出射した光の一部を、開口を介して液晶層を通過させ、対向基板の外側に出射させることで、画像を表示することができる。すなわち、この技術では、反射表示型の液晶表示装置の一部が、透過表示型の液晶表示装置として機能する。このような液晶表示装置は、例えば、半透過型液晶表示装置と称される。
【先行技術文献】
【特許文献】
【０００５】
【特許文献１】特開２００７−１１２６９号公報
【発明の概要】
【発明が解決しようとする課題】
【０００６】
しかしながら、反射電極に開口が設けられた半透過型液晶表示装置では、開口の分だけ反射電極の面積が低減するため、外光の反射率が低下してしまう可能性がある。
このような点に鑑み、開示の液晶表示装置、および、電子機器では、暗所での視認性を確保しつつ、外光の反射率を向上することを目的とする。
【課題を解決するための手段】
【０００７】
上記目的を達成するために、以下のような液晶表示装置、および、電子機器が提供される。
この液晶表示装置は、第１の基板と、第１の基板に対向する第２の基板と、第１の基板と第２の基板との間に配置された液晶層とを有し、複数の画素領域を含む液晶表示装置であって、画素領域は、第１の基板の液晶層側の面に形成され、所定の電位が供給される、第１の電極及び第２の電極と、第１のコンタクトホールと第２のコンタクトホールを備え、第１の基板の液晶層側に第１の電極と第２の電極を覆って形成された絶縁膜と、絶縁膜の上層に形成され、開口部を介して第１のコンタクトホールを露出させる第１の反射電極と、絶縁膜の上層に形成され、開口部を介して第２のコンタクトホールを露出させる第２の反射電極と、第１のコンタクトホール内の底面および内側面に形成され、第１の電極と第１の反射電極とを電気的に接続する第１の透明電極と、第２のコンタクトホール内の底面および内側面に形成され、第２の電極と第２の反射電極とを電気的に接続する第２の透明電極と、第１の基板または第２の基板の液晶層側に形成された共通電極と、を有し、絶縁膜は、液晶層側に配置され、第１のコンタクトホールと第２のコンタクトホールとを備える上層絶縁膜部と、上層絶縁膜部よりも第１の基板側に配置され、第１の電極を露出する第１の下層コンタクトホールと、第２の電極を露出する第２の下層コンタクトホールとを備える下層絶縁膜部と、から構成され、下層絶縁膜部の上層には、第１の下層コンタクトホールを介して第１の電極と電気的に接続されるとともに第１のコンタクトホールによって上層絶縁膜部から一部が露出した第１の透明配線と、第２の下層コンタクトホールを介して第２の電極と電気的に接続されるとともに第２のコンタクトホールによって上層絶縁膜部から一部が露出した第２の透明配線と、が形成され、第１の透明電極は、第１のコンタクトホールで露出した第１の透明配線の一部と、第１の反射電極とを電気的に接続し、第２の透明電極は、第２のコンタクトホールで露出した第２の透明配線の一部と、第２の反射電極とを電気的に接続する。
【０００９】
また、この電子機器は、第１の基板と、第１の基板に対向する第２の基板と、第１の基板と第２の基板との間に配置された液晶層とを有し、複数の画素領域を含む液晶表示装置を備え、画素領域が、第１の基板の液晶層側の面に形成され、所定の電位が供給される、第１の電極及び第２の電極と、第１のコンタクトホールと第２のコンタクトホールを備え、第１の基板の液晶層側に第１の電極と第２の電極を覆って形成された絶縁膜と、絶縁膜の上層に形成され、開口部を介して第１のコンタクトホールを露出させる第１の反射電極と、絶縁膜の上層に形成され、開口部を介して第２のコンタクトホールを露出させる第２の反射電極と、第１のコンタクトホール内の底面および内側面に形成され、第１の電極と第１の反射電極とを電気的に接続する第１の透明電極と、第２のコンタクトホール内の底面および内側面に形成され、第２の電極と第２の反射電極とを電気的に接続する第２の透明電極と、第１の基板または第２の基板の液晶層側に形成された共通電極と、を有し、絶縁膜は、液晶層側に配置され、第１のコンタクトホールと第２のコンタクトホールとを備える上層絶縁膜部と、上層絶縁膜部よりも第１の基板側に配置され、第１の電極を露出する第１の下層コンタクトホールと、第２の電極を露出する第２の下層コンタクトホールとを備える下層絶縁膜部と、から構成され、下層絶縁膜部の上層には、第１の下層コンタクトホールを介して第１の電極と電気的に接続されるとともに第１のコンタクトホールによって上層絶縁膜部から一部が露出した第１の透明配線と、第２の下層コンタクトホールを介して第２の電極と電気的に接続されるとともに第２のコンタクトホールによって上層絶縁膜部から一部が露出した第２の透明配線と、が形成され、第１の透明電極は、第１のコンタクトホールで露出した第１の透明配線の一部と、第１の反射電極とを電気的に接続し、第２の透明電極は、第２のコンタクトホールで露出した第２の透明配線の一部と、第２の反射電極とを電気的に接続する。
【発明の効果】
【００１０】
開示の液晶表示装置、および、電子機器によれば、暗所での視認性を確保しつつ、外光の反射率を向上することが可能となる。
【図面の簡単な説明】
【００１１】
【図１】第１の実施の形態に係る液晶表示装置の一例を示す断面図である。
【図２】第１の実施の形態に係るアレイ基板の一例を示す上面図である。
【図３】図１におけるアレイ基板の部分拡大図である。
【図４】変形例１のアレイ基板を示す図である。
【図５】変形例２のアレイ基板を示す図である。
【図６】変形例３のアレイ基板を示す図である。
【図７】第２の実施の形態に係るアレイ基板の一例を示す上面図である。
【図８】図７の点線Ａ−Ａ´における断面図である。
【図９】液晶表示装置が適用されるテレビジョン装置の外観の一例を示す図である。
【図１０】液晶表示装置が適用されるデジタルカメラの外観の一例を示す図である。
【図１１】液晶表示装置が適用されるノート型パーソナルコンピュータの外観の一例を示す図である。
【図１２】液晶表示装置が適用されるビデオカメラの外観の一例を示す図である。
【図１３】液晶表示装置が適用される携帯電話機の外観の一例を示す図である。
【発明を実施するための形態】
【００１２】
以下、実施の形態を図面を参照して説明する。
［第１の実施の形態］
図１は、第１の実施の形態に係る液晶表示装置の一例を示す断面図である。図２は、第１の実施の形態に係るアレイ基板の一例を示す上面図である。なお、図１は、液晶表示装置１００における１つの画素領域の断面図を示したものである。
【００１３】
図１に示すように、液晶表示装置１００は、アレイ基板１０と、対向基板２０と、アレイ基板１０と対向基板２０との間に配置された液晶層３０とを有している。
アレイ基板１０は、表面１１ａと表面１１ａとは反対側の表面１１ｂとを備えた透明基板１１を有している。透明基板１１には、例えば、ガラス基板が用いられている。表面１１ｂ上には、偏光板１２が形成されている。また、表面１１ｂ側には、バックライト４０が配置されている。
【００１４】
図２に示すように、表面１１ａ上には、複数の信号線１４と、信号線１４と交差する複数の走査線１５とが形成されている。信号線１４には、図示しない駆動回路から表示データに基づいた電位が供給され、走査線１５には、図示しない駆動回路から走査信号が供給される。ここで、信号線１４および走査線１５に取り囲まれた領域が、それぞれ、画素領域となる。
【００１５】
さらに、表面１１ａ上には、画素領域のそれぞれに、光を反射する反射電極１３が形成されている。反射電極１３の材料には、例えば、銀（Ａｇ）やアルミニウム（Ａｌ）が用いられている。反射電極１３には、開口部１３ａが設けられている。
【００１６】
さらに、表面１１ａ上には、画素領域のそれぞれに、薄膜トランジスタ（ＴＦＴ：Thin Film Transistor）１６が形成されている。薄膜トランジスタ１６は、それぞれ、信号線１４と反射電極１３との間に接続され、ゲート電極が走査線１５に接続されている。
【００１７】
すなわち、薄膜トランジスタ１６は、走査線１５に供給される走査信号に応じて、信号線１４と反射電極１３との間の導通状態を制御する。例えば、薄膜トランジスタ１６がオンすると、信号線１４に供給された電位が反射電極１３に供給される。
【００１８】
図１に戻り、対向基板２０は、表面２１ａと表面２１ａとは反対側の表面２１ｂとを備えた透明基板２１を有している。透明基板２１は、表面２１ａが透明基板１１の表面１１ａと対向するように配置されている。透明基板２１には、例えば、ガラス基板が用いられている。表面２１ｂ上には、偏光板２２が形成されている。
【００１９】
表面２１ａ上には、カラーフィルター２３が形成されている。さらに、カラーフィルター２３上には、共通電極２４が形成されている。共通電極２４の材料には、例えば、ＩＴＯ（Indium Tin Oxide）やＩＺＯ（Indium Zinc Oxide）等が用いられている。
【００２０】
次に、アレイ基板１０の詳細について説明する。
図３は、図１におけるアレイ基板の部分拡大図である。
透明基板１１の表面１１ａ上には、反射電極１３に所定の電位を供給する電極５１が形成されている。例えば、電極５１は、信号線１４と電気的に接続されている。電極５１の材料には、例えば、金属が用いられている。
【００２１】
さらに、表面１１ａ上には、電極５１と接続された透明配線５２が形成されている。ここでは、透明配線５２の一端が電極５１に乗り上げ、他端は電極５１から遠ざかる方向に延在している。透明配線５２の材料には、例えば、ＩＴＯやＩＺＯ等が用いられている。
【００２２】
さらに、表面１１ａ上には、電極５１および透明配線５２を覆って、絶縁膜５３が形成されている。絶縁膜５３は平坦化膜としても機能している。ここで、絶縁膜５３には、絶縁膜５３を貫通するコンタクトホール５３ａが設けられている。コンタクトホール５３ａは、下方に向かって口径が徐々に小さくなっており、テーパー状の内側面５３ｂを備えている。
【００２３】
また、コンタクトホール５３ａにより、透明配線５２の一部５２ａが絶縁膜５３から露出している。また、コンタクトホール５３ａは、電極５１や、表面１１ａ上に形成された図示しないその他の金属配線とは重ならない位置に配置されている。
【００２４】
コンタクトホール５３ａの内側面５３ｂ上、および、コンタクトホール５３ａの底面、すなわち、透明配線５２の一部５２ａ上には、透明電極５４が形成されている。透明電極５４の材料には、例えば、ＩＴＯやＩＺＯ等が用いられている。
【００２５】
そして、絶縁膜５３上に、反射電極１３が形成されている。反射電極１３の開口部１３ａは、コンタクトホール５３ａを露出して配置されている。これにより、バックライト４０の照射光は、コンタクトホール５３ａおよび開口部１３ａを経由して液晶層３０側に透過する。また、反射電極１３は、透明電極５４と接続されている。すなわち、反射電極１３は、透明電極５４および透明配線５２を介して電極５１と電気的に接続されている。
【００２６】
次に、液晶表示装置１００の表示動作について説明する。
液晶表示装置１００では、例えば、信号線１４に表示データに基づいた電位が供給され、走査線１５に走査信号が供給されることで、液晶層３０に対して画素領域毎に、反射電極１３と共通電極２４とにより表示データに基づいた電界が供給される。これにより、画素領域毎に液晶分子の向きが供給される電界に基づいて変化する。この状態で、光が液晶層３０を通過して、透明基板２１の表面２１ｂ側から出射することで、画像の表示が行われる。
【００２７】
具体的には、反射表示モードでは、透明基板２１の表面２１ｂ側から外光が偏光板２２を介して入射し、入射した光が反射電極１３によって反射し、反射した光が液晶層３０を通過して透明基板２１の表面２１ｂ側に出射する。
【００２８】
一方、透過表示モードでは、透明基板１１の表面１１ｂ側から、バックライト４０の照射光が偏光板１２を介して入射し、入射した光が絶縁膜５３のコンタクトホール５３ａおよび反射電極１３の開口部１３ａを経由して液晶層３０側に透過する。そして、透過した光が液晶層３０を通過して透明基板２１の表面２１ｂ側に偏光板２２を介して出射する。
【００２９】
以上説明してきたように、液晶表示装置１００では、絶縁膜５３のコンタクトホール５３ａ内に、電極５１と反射電極１３とを電気的に接続する透明電極５４が形成され、さらに、反射電極１３に、コンタクトホール５３ａを露出する開口部１３ａが設けられている。
【００３０】
この構成によれば、バックライト４０の照射光が、コンタクトホール５３ａおよび開口部１３ａを経由して液晶層３０側に透過し、透過した光が液晶層３０を通過して透明基板２１の表面２１ｂ側に出射することで、画像の表示が行われる。すなわち、液晶表示装置１００は、部分的に透過表示型の液晶表示装置として機能する。これにより、暗所での視認性を向上させることが可能となる。
【００３１】
また、コンタクトホール５３ａが設けられた領域は、仮に反射電極１３が形成されていたとしても、外光の反射が適切に行われないため、外光の反射率には寄与しない。液晶表示装置１００では、外光の反射率に寄与しないコンタクトホール５３ａが設けられた領域を利用して透過表示を行うため、反射率を犠牲にすることなく、部分的に透過表示型の液晶表示装置として機能することが可能となる。
【００３２】
（変形例１）
次に、第１の実施の形態の変形例１について説明する。
図４は、変形例１のアレイ基板を示す図である。
変形例１のアレイ基板１０ａでは、透明電極５４が、コンタクトホール５３ａの内側面５３ｂ上、コンタクトホール５３ａの底面、および、絶縁膜５３上に形成されている。さらに、反射電極１３が、絶縁膜５３上に形成された透明電極５４を覆って形成されている。すなわち、絶縁膜５３上において、透明電極５４と反射電極１３とが積層されている。
【００３３】
この構成によれば、反射電極１３と透明電極５４との接続面積が大きくなるため、反射電極１３と透明電極５４との電気的接続の信頼性を向上することが可能となる。また、反射電極１３が透明電極５４よりも上層に位置しているため、外光の反射率をより向上させることが可能となる。
【００３４】
（変形例２）
次に、第１の実施の形態の変形例２について説明する。
図５は、変形例２のアレイ基板を示す図である。
変形例２のアレイ基板１０ｂでは、透明電極５４が、コンタクトホール５３ａの内側面５３ｂ上、コンタクトホール５３ａの底面、および、反射電極１３上に形成されている。すなわち、絶縁膜５３上において、反射電極１３と透明電極５４とが積層されている。
【００３５】
この構成によれば、反射電極１３と透明電極５４との接続面積が大きくなるため、反射電極１３と透明電極５４との電気的接続の信頼性を向上することが可能となる。
【００３６】
（変形例３）
次に、第１の実施の形態の変形例３について説明する。
図６は、変形例３のアレイ基板を示す図である。
変形例３のアレイ基板１０ｃでは、透明電極５４が形成されていない。一方、反射電極１３が、コンタクトホール５３ａの底面、すなわち、透明配線５２の一部５２ａを露出して、コンタクトホール５３ａの内側面５３ｂ上にも形成されている。コンタクトホール５３ａの内側面５３ｂ上に形成された反射電極１３は、透明配線５２の一部５２ａと接続している。すなわち、反射電極１３の開口部１３ａが、コンタクトホール５３ａ内に位置している。
【００３７】
第１の実施の形態のアレイ基板１０では、バックライト４０の照射光が、コンタクトホール５３ａのテーパー状の内側面５３ｂ上に形成された透明電極５４を経由して液晶層３０側に透過するが、この場合、光学特性が低下する可能性がある。
【００３８】
これに対して、アレイ基板１０ｃの構成によれば、バックライト４０の照射光は、コンタクトホール５３ａの底面のみを経由して液晶層３０側に透過するため、光学特性を向上することが可能となる。
【００３９】
［第２の実施の形態］
次に、第２の実施の形態について説明する。
第２の実施の形態の液晶表示装置は、アレイ基板の構成が、第１の実施の形態のアレイ基板１０とは異なる。その他の構成は、第１の実施の形態の液晶表示装置１００と同様である。第２の実施の形態のアレイ基板２１０では、反射電極が３つの反射電極部２２１，２２２，２２３に分割されている。また、アレイ基板２１０では、透明基板１１の表面１１ａを覆う絶縁膜が、２層の絶縁膜２３０，２５０で構成されている。
【００４０】
図７は、第２の実施の形態に係るアレイ基板の一例を示す上面図である。図８は、図７の点線Ａ−Ａ´における断面図である。なお、図７は、アレイ基板２１０における１つの画素領域２１１の上面図を示すものである。
【００４１】
図８に示すように、アレイ基板２１０では、透明基板１１の表面１１ａ上に、電極５１を覆って絶縁膜２３０が形成されている。絶縁膜２３０は、平坦化膜としても機能する。絶縁膜２３０には、絶縁膜２３０を貫通するコンタクトホール２３１が設けられている。コンタクトホール２３１は、電極５１の一部を露出している。
【００４２】
なお、絶縁膜２３０には、他に、図７に示すコンタクトホール２３２が設けられている。コンタクトホール２３２は、表面１１ａ上に形成された図示しない他の電極の一部を露出している。
【００４３】
図８に戻り、絶縁膜２３０上には、コンタクトホール２３１から延在する透明配線２４１が形成されている。透明配線２４１は、コンタクトホール２３１を介して電極５１と電気的に接続されている。例えば、透明配線２４１は、コンタクトホール２３１の内側面上、および、底面にも形成されている。
【００４４】
なお、絶縁膜２３０上には、他に、図７に示す透明配線２４２が形成されている。透明配線２４２は、コンタクトホール２３２を介して、表面１１ａ上に形成された図示しない他の電極と電気的に接続されている。透明配線２４１，２４２の材料には、例えば、ＩＴＯやＩＺＯ等が用いられている。
【００４５】
図８に戻り、絶縁膜２３０上には、さらに、透明配線２４１，２４２を覆って絶縁膜２５０が形成されている。絶縁膜２５０は、平坦化膜としても機能する。絶縁膜２５０には、絶縁膜２５０を貫通するコンタクトホール２５１が設けられている。コンタクトホール２５１は、透明配線２４１の一部を露出している。コンタクトホール２５１の内側面上、および、底面には、透明電極２６１が形成されている。
【００４６】
なお、絶縁膜２５０には、他に、図７に示すコンタクトホール２５２，２５３が設けられている。コンタクトホール２５２は、透明配線２４２の一部を露出している。コンタクトホール２５３は、透明配線２４１の一部を露出している。各コンタクトホール２５２，２５３の内側面上、および、底面にも、透明電極２６２，２６３がそれぞれ形成されている。透明電極２６１〜２６３の材料には、例えば、ＩＴＯやＩＺＯ等が用いられている。
【００４７】
そして、図７および図８に示すように、絶縁膜２５０上に、反射電極部２２１〜２２３が形成されている。反射電極部２２１には、開口部２２１ａが設けられ、反射電極部２２２には、開口部２２２ａが設けられ、反射電極部２２３には、開口部２２３ａが設けられている。
【００４８】
開口部２２１ａは、コンタクトホール２５１を露出し、開口部２２２ａは、コンタクトホール２５２を露出し、開口部２２３ａは、コンタクトホール２５３を露出している。これにより、透過型表示モードにおいて、バックライト４０の照射光が、コンタクトホール２５１〜２５３および開口部２２１ａ〜２２３ａを介して液晶層３０側に透過する。
【００４９】
また、反射電極部２２１は、透明電極２６１と接続し、反射電極部２２２は、透明電極２６２と接続し、反射電極部２２３は、透明電極２６３と接続されている。これにより、反射電極部２２１，２２３は、透明配線２４１と電気的に接続され、反射電極部２２２は、透明配線２４２と電気的に接続される。
【００５０】
ここで、反射電極部２２１〜２２３は、例えば、反射電極部２２１〜２２３の互いの組み合わせによって階調表示を可能とする面積階調表示用の電極として用いられる。アレイ基板２１０では、反射電極部２２１と反射電極部２２３とが互いに電気的に接続し、反射電極部２２２が反射電極部２２１，２２３と電気的に独立している。これにより、反射電極部２２１〜２２３を、例えば、面積比が２対１の関係にある２つの電極としてみなすことができる。
【００５１】
以上説明してきたように、アレイ基板２１０では、コンタクトホール２５１〜２５３内に、電極５１または他の電極と反射電極部２２１〜２２３とを電気的に接続する透明電極２６１〜２６３が形成されている。さらに、反射電極部２２１〜２２３に、コンタクトホール２５１〜２５３を露出する開口部２２１ａ〜２２３ａが設けられている。
【００５２】
この構成によれば、バックライト４０の照射光が、コンタクトホール２５１〜２５３および開口部２２１ａ〜２２３ａを経由して液晶層３０側に透過し、液晶層３０を通過して透明基板２１の表面２１ｂ側に出射することで、画像の表示が行われる。すなわち、第２の実施の形態の液晶表示装置は、部分的に透過表示型の液晶表示装置として機能する。これにより、暗所での視認性を向上させることが可能となる。
【００５３】
また、コンタクトホール２５１〜２５３が設けられた領域は、仮に反射電極部２２１〜２２３が形成されていたとしても、外光の反射が適切に行われないため、外光の反射率には寄与しない。第２の実施の形態の液晶表示装置では、外光の反射率に寄与しないコンタクトホール２５１〜２５３が設けられた領域を利用して透過表示を行うため、外光の反射率を犠牲にすることなく、部分的に透過表示型の液晶表示装置として機能することが可能となる。
【００５４】
また、アレイ基板２１０では、電極５１および他の電極と、コンタクトホール２５１〜２５３内に形成された透明電極２６１〜２６３とを電気的に接続する透明配線２４１，２４２が、絶縁膜２３０上に形成されている。
【００５５】
ここで、アレイ基板２１０では、例えば、画素回路が複雑になり、透明基板１１の表面１１ａ上に画素回路を構成する配線やトランジスタが多数配置され、電極５１および他の電極の配置が制限されるような場合がある。このような場合でも、上記構成によれば、透明配線２４１，２４２を絶縁膜２３０上において引き回すことで、コンタクトホール２５１〜２５３の位置を自由に設定することができる。すなわち、画素領域において、透過表示を行う透過領域の配置を自由に設定することが可能となる。
【００５６】
（モジュールおよび適用例）
次に、図９〜図１３を参照して、上記実施の形態で説明した液晶表示装置の適用例について説明する。上記実施の形態の液晶表示装置は、外部から入力された映像信号あるいは内部で生成した映像信号を、画像あるいは映像として表示するあらゆる分野の電子機器に適用することが可能である。このような電子機器は、例えば、テレビジョン装置、デジタルカメラ、ノート型パーソナルコンピュータ、携帯電話機等の携帯端末装置あるいはビデオカメラ等である。
【００５７】
（適用例１）
図９は、液晶表示装置が適用されるテレビジョン装置の外観の一例を示す図である。このテレビジョン装置は、例えば、フロントパネル５１１およびフィルターガラス５１２を含む映像表示画面部５１０を有しており、この映像表示画面部５１０は、上記実施の形態に係る液晶表示装置により構成されている。
【００５８】
（適用例２）
図１０は、液晶表示装置が適用されるデジタルカメラの外観の一例を示す図である。図１０（Ａ）は、表側から見た斜視図であり、図１０（Ｂ）は、裏側から見た斜視図である。このデジタルカメラは、例えば、フラッシュ用の発光部５２１、表示部５２２、メニュースイッチ５２３およびシャッターボタン５２４を有しており、その表示部５２２は、上記実施の形態に係る液晶表示装置により構成されている。
【００５９】
（適用例３）
図１１は、液晶表示装置が適用されるノート型パーソナルコンピュータの外観の一例を示す図である。このノート型パーソナルコンピュータは、例えば、本体５３１、文字等の入力操作のためのキーボード５３２および画像を表示する表示部５３３を有しており、その表示部５３３は、上記実施の形態に係る液晶表示装置により構成されている。
【００６０】
（適用例４）
図１２は、液晶表示装置が適用されるビデオカメラの外観の一例を示す図である。このビデオカメラは、例えば、本体部５４１、この本体部５４１の前方側面に設けられた被写体撮影用のレンズ５４２、撮影時のスタート／ストップスイッチ５４３および表示部５４４を有している。その表示部５４４は、上記実施の形態に係る液晶表示装置により構成されている。
【００６１】
（適用例５）
図１３は、液晶表示装置が適用される携帯電話機の外観の一例を示す図である。図１３（Ａ）は、携帯電話機を開いた状態の正面図、図１３（Ｂ）は、図１３（Ａ）の側面図である。さらに、図１３（Ｃ）は、携帯電話機を閉じた状態の正面図、図１３（Ｄ）は、図１３（Ｃ）の左側面図、図１３（Ｅ）は、図１３（Ｃ）の右側面図、図１３（Ｆ）は、図１３（Ｃ）の上側面図、図１３（Ｇ）は、図１３（Ｃ）の下側面図である。
【００６２】
この携帯電話機は、例えば、上側筐体７１０と下側筐体７２０とを連結部（ヒンジ部）７３０で連結したものであり、ディスプレイ７４０、サブディスプレイ７５０、ピクチャーライト７６０およびカメラ７７０を有している。そのディスプレイ７４０およびサブディスプレイ７５０は、上記実施の形態に係る液晶表示装置により構成されている。
【００６３】
なお、本技術は以下のような構成も採ることができる。
（１）  第１の表面を備えた第１の基板と、
前記第１の表面上に形成され、所定の電位が供給される電極と、
コンタクトホールを備え、前記第１の表面上に前記電極を覆って形成された絶縁膜と、
開口部を備え、前記開口部によって前記コンタクトホールを露出して前記絶縁膜上に形成された反射電極と、
前記コンタクトホール内に形成され、前記電極と前記反射電極とを電気的に接続する透明電極と、
第２の表面を備え、前記第２の表面が前記第１の表面と対向し、かつ、所定間隔離間して配置された第２の基板と、
前記第１または第２の表面上に形成された共通電極と、
前記第１の表面と前記第２の表面との間に配置された液晶層と、
を有する液晶表示装置。
（２）  前記透明電極は、前記コンタクトホールの底面および内側面に形成されている、
前記（１）記載の液晶表示装置。
（３）  前記第１の表面上には、前記電極に電気的に接続された透明配線が形成され、
前記絶縁膜は、前記透明配線を覆い、かつ、前記透明配線の一部を前記コンタクトホールによって露出して形成され、
前記透明電極は、前記コンタクトホールによって前記絶縁膜から露出した前記透明配線の一部と、前記反射電極とを電気的に接続している、
前記（１）または（２）記載の液晶表示装置。
（４）  前記透明電極は、前記絶縁膜上にも形成され、
前記反射電極は、前記透明電極を覆って前記絶縁膜上に形成されている、
前記（２）または（３）記載の液晶表示装置。
（５）  前記透明電極は、前記反射電極を覆って前記絶縁膜上にも形成されている、
前記（２）または（３）記載の液晶表示装置。
（６）  前記透明電極は、前記コンタクトホールの内側面を露出して底面に形成され、
前記反射電極は、前記コンタクトホールの前記内側面上にも形成されている、
前記（１）記載の液晶表示装置。
（７）  第１の表面を備えた第１の基板と、
前記第１の表面上に形成され、所定の電位が供給される電極と、
第１のコンタクトホールを備え、前記第１のコンタクトホールによって前記電極を露出して前記第１の表面上に形成された第１の絶縁膜と、
前記第１の絶縁膜上に形成され、前記第１のコンタクトホールを介して前記電極と電気的に接続された透明配線と、
第２のコンタクトホールを備え、前記透明配線を覆い、かつ、前記透明配線の一部を前記第２のコンタクトホールによって露出して、前記第１の絶縁膜上に形成された第２の絶縁膜と、
開口部を備え、前記開口部によって前記第２のコンタクトホールを露出して前記第２の絶縁膜上に形成された反射電極と、
前記第２のコンタクトホール内に形成され、前記第２のコンタクトホールによって前記第２の絶縁膜から露出した前記透明配線の一部と、前記反射電極とを電気的に接続する透明電極と、
第２の表面を備え、前記第２の表面が前記第１の表面と対向し、かつ、所定間隔離間して配置された第２の基板と、
前記第１または第２の表面上に形成された共通電極と、
前記第１の表面と前記第２の表面との間に配置された液晶層と、
を有する液晶表示装置。
（８）  画像を表示する液晶表示装置を備え、
前記液晶表示装置が、
第１の表面を備えた第１の基板と、
前記第１の表面上に形成され、所定の電位が供給される電極と、
コンタクトホールを備え、前記第１の表面上に前記電極を覆って形成された絶縁膜と、
開口部を備え、前記開口部によって前記コンタクトホールを露出して前記絶縁膜上に形成された反射電極と、
前記コンタクトホール内に形成され、前記電極と前記反射電極とを電気的に接続する透明電極と、
第２の表面を備え、前記第２の表面が前記第１の表面と対向し、かつ、所定間隔離間して配置された第２の基板と、
前記第１または第２の表面上に形成された共通電極と、
前記第１の表面と前記第２の表面との間に配置された液晶層と、を有する、
電子機器。
【符号の説明】
【００６４】
１０，１０ａ〜１０ｃ，２１０……アレイ基板、１１，２１……透明基板、１１ａ，１１ｂ，２１ａ，２１ｂ……表面、１２，２２……偏光板、１３……反射電極、１３ａ，２２１ａ〜２２３ａ……開口部、１４……信号線、１５……走査線、１６……薄膜トランジスタ、２０……対向基板、２３……カラーフィルター、２４……共通電極、３０……液晶層、４０……バックライト、５１……電極、５２，２４１，２４２……透明配線、５３，２３０，２５０……絶縁膜、５３ａ，２３１，２３２，２５１〜２５３……コンタクトホール、５４，２６１〜２６３……透明電極、１００……液晶表示装置、２１１……画素領域、２２１〜２２３……反射電極部
【図１】
0005864321.tif 000002
【図２】
0005864321.tif 000003
【図３】
0005864321.tif 000004
【図４】
0005864321.tif 000005
【図５】
0005864321.tif 000006
【図６】
0005864321.tif 000007
【図７】
0005864321.tif 000008
【図８】
0005864321.tif 000009
【図９】
0005864321.tif 000010
【図１０】
0005864321.tif 000011
【図１１】
0005864321.tif 000012
【図１２】
0005864321.tif 000013
【図１３】
0005864321.tif 000014